(57)【要約】【課題】避難場所に前記防災用タワー等が設置されていない中で送電線の遮断および道路の遮断等で隔離された場合は、放送受信装置および拡声装置や照明およびビデオカメラの電源確保が難しく非難状況が正しく把握できなかったり、防犯対策の照明が夜間に使用できないという問題があった。【課題手段】屋根の骨格を構成しているフレームと、前記フレームに取り付けた太陽エネルギーを受けて起電力を発生する太陽電池モジュールと、前記太陽電池モジュールをその下方から前記屋根の骨格より脱着自在に操作する取手を前記太陽電池モジュールの下面に設けたことを特徴とする太陽電池モジュール脱着装置を提供するものである。【選択図】図１
2005232840.tif 000002
【特許請求の範囲】
【請求項１】
バス停、駐輪場および住宅駐車場等の屋根の骨格を構成するフレームと、前記フレームに取り付けた太陽エネルギーを受けて起電力を発生する太陽電池モジュールと、前記太陽電池モジュールをその下方から前記屋根の骨格より脱着自在に操作する取手を前記太陽電池モジュールの下面に設けたことを特徴とする太陽電池モジュール脱着装置。
【請求項２】
取手は、太陽電池モジュールを地面に仮設するに際し、前記太陽電池モジュールの支持具となる形状の支持脚としたことを特徴とした請求項１記載の太陽電池モジュール脱着装置。
【請求項３】
取手は、取手の一端が太陽電池モジュールの裏面に回動自在に支持する支持部を設け、他方の自由端部を接地側としたことを特徴とする請求項１記載の太陽電池モジュール脱着装置。
【請求項４】
取手は、太陽電池モジュールの裏面常時収納し、取手の一端が前記太陽電池モジュールの裏面に回動自在に支持する支持部を設け、他方の自由端部を接地側としたことを特徴とする請求項１記載の太陽電池モジュール脱着装置。
【請求項５】
取手の支持部は、太陽電池モジュールの受光角度を太陽高度に応じて変更可能開脚角度を調整できる受光角度調整手段を設けたことを特徴とする請求項１から請求項４のいずれかに記載の太陽電池モジュール脱着装置。
【請求項６】
屋根のフレーム枠と太陽モジュールを、ロックオープン操作する鍵を具備したことを特徴とする請求項１から請求項５のいずれかに記載の太陽電池モジュール脱着装置。
【請求項７】
バス停、駐輪場および住宅駐車場等の屋根のフレーム枠に鍵を差込み、ハンドルの回転により連動し回転する太陽電池モジュール固定金具を設けたことを特徴とする請求項１から請求項５のいずれかに記載の太陽電池モジュール脱着装置。
【発明の詳細な説明】
【技術分野】
【０００１】
本発明は、バス停、駐輪場および住宅駐車場等の屋根を脱着式の太陽電池モジュールで構成し、前記太陽電池モジュールを防災時の仮設電源に対応させる太陽電池モジュール脱着装置に関するものである。
【背景技術】
【０００２】
このような従来の自然エネルギーを利用したものに防災用多機能タワーがあり、公共の広場である公園等に配置し、太陽エネルギーを電気エネルギーに変換する太陽電池と、前記太陽電池で電力として蓄える蓄電装置と、前記蓄電装置に蓄電された電力によって作動される照明灯、放送装置等を備えている。そのため、通常時には放送受信装置および拡声装置を備え防災用タワーとしての機能や夜間には照明灯として防犯機能および時計を備え時計搭として地域に親しまれる役割をも果たしている。しかし、地震や台風等の災害が発生し送電線が機能しなくなり商用電源供給されなくなった場合において、太陽エネルギーを用いて非常時に必要な放送等の案内および夜間の照明やビデオカメラで被害状況を防災センターに伝えることを可能としたものである（例えば、特許文献１参照）。
【特許文献１】特開平１０−３３９０５６号公報
【発明の開示】
【発明が解決しようとする課題】
【０００３】
このような従来の防災用タワーは、公園等に強風や地震においても破損しないように強固に固定されている。そして、避難場所に前記防災用タワーが設置されているところでは、災害等の発生した非常時に送電線の遮断および道路の遮断等により隔離された場合においても放送受信装置および拡声装置や照明およびビデオカメラの電源を確保でき防災対策に役立っている。しかし、避難場所に前記防災用タワー等が設置されていない中で送電線の遮断および道路の遮断等で隔離された場合は、放送受信装置および拡声装置や照明およびビデオカメラの電源確保が難しく非難状況が正しく把握できなかったり、防犯対策の照明が夜間に使用できないという問題があった。
【０００４】
そこで本発明は、このような従来の課題を解決するものであり、町づくり地域づくりを意識したなかで、バス停、駐輪場および住宅駐車場等の屋根を太陽電池モジュールで兼用して設置し、災害発生時に取り外して移動することが容易な太陽電池モジュール脱着装置を提供することを目的としている。
【０００５】
なお、発電機にて仮設電源を確保することも可能であるが、この場合には夜間時の騒音や常時運転する場合の燃料の確保等および騒音も発生しない自然エネルギーを確保することが望ましい。
【課題を解決するための手段】
【０００６】
請求項１記載の本発明は、バス停、駐輪場および住宅駐車場等の屋根の骨格を構成するフレームと、前記フレームに取り付けた太陽エネルギーを受けて起電力を発生する太陽電池モジュールと、前記太陽電池モジュールをその下面から前記屋根の骨格より脱着自在に操作する取手を前記太陽電池モジュールの下面に設けたことを特徴とする。
【０００７】
請求項２記載の本発明は請求項１記載の太陽電池モジュール脱着装置において、取手は太陽電池モジュールを地面に仮設するに際し、前記太陽電池モジュールの支持具となる形状の支持脚としたことを特徴とする。
【０００８】
請求項３記載の本発明は請求項１記載の太陽電池モジュール脱着脱装置において、取手は取手の一端が太陽電池モジュールの裏面に回動自在に支持する支持部を設け、他方の自由端部を接地側としたことを特徴とする。
【０００９】
請求項４記載の本発明は請求項１記載の太陽電池モジュール脱着脱装置において、取手は太陽電池モジュールの裏面常時収納し、取手の一端が前記太陽電池モジュールの裏面に回動自在に支持する支持部を設け、他方の自由端部を接地側としたことを特徴とする。
【００１０】
請求項５記載の本発明は請求項１から請求項４のいずれかに記載の太陽電池モジュール脱着脱装置において、取手の支持部は、太陽電池モジュールの受光角度を太陽高度に応じて変更可能開脚角度を調整できる受光角度調整手段を設けたことを特徴とする。
【００１１】
請求項６記載の本発明は請求項１から請求項５のいずれかに記載の太陽電池モジュール脱着脱装置において、屋根のフレーム枠と太陽モジュールを、ロックオープン操作する鍵を具備したことを特徴とする。
【００１２】
請求項７記載の本発明は請求項１から請求項５のいずれかに記載の太陽電池モジュール脱着脱装置において、バス停、駐輪場および住宅駐車場等の屋根のフレーム枠に鍵を差込み、ハンドルの回転により連動し回転する太陽電池モジュール固定金具を設けたことを特徴とする。
【発明の効果】
【００１３】
以上の説明から明らかなように本発明によれば、町づくり地域づくりのなかでバス停、駐輪場および住宅駐車場の屋根に常時設置されて活用されている太陽電池モジュールを、災害等の停電状態発生時に、電源供給がされるまでの間、容易に下面より脱着できる太陽電池モジュール構造でかつ太陽電池モジュールを避難場所に容易に移動可能な構造のため、仮設電源確保に際し大掛かりな工事を必要とせず、簡単に取り外し、移動し、設置可能な太陽電池モジュール脱着装置を提供するものである。
【００１４】
また、避難場所において取り外した太陽電池モジュールを組み立てるに際し、
特別な部材を必要としなくても太陽光を受光できる状態に設置できる構成にした太陽電池モジュール脱着装置を提供するものである。
【発明を実施するための最良の形態】
【００１５】
本発明の第１の実施の形態は、屋根の骨格を構成しているフレームと、前記フレームに取り付けた太陽エネルギーを受けて起電力を発生する太陽電池モジュールと、前記太陽電池モジュールをその下面から前記屋根の骨格より脱着自在に操作する取手を前記太陽電池モジュールの下面に設けた構成とし、緊急時に必要なものを部品として定常状態の使用の中に組み込み、緊急時に容易に取り外し、必要な場所に移動できるようにしたものである。
【００１６】
本発明の第２の実施の形態は請求項１の実施の形態における太陽電池モジュール脱着装置において、取手は太陽電池モジュールを地面に仮設するに際し、前記太陽電池モジュールの支持具となる形状の支持脚とした構成とし、緊急時に必要なものを定常状態の使用の中に組み込み緊急時に容易に取り外し、必要な場所に移動先の現地で容易に組み立てられるようにしたものである。
【００１７】
本発明の第３の実施の形態は請求項１の実施の形態における太陽電池モジュール脱着装置において、取手は取手の一端が太陽電池モジュールの裏面に回動自在に支持する支持部を設け、他方の自由端部を接地側とした構成としたものであり、取り外し組み立てが容易としたものである。
【００１８】
本発明の第４の実施の形態は請求項１の実施の形態における太陽電池モジュール脱着装置において、取手は太陽電池モジュールの裏面常時収納し、取手の一端が前記太陽電池モジュールの裏面に回動自在に支持する支持部を設け、他方の自由端部を接地側とした構成としたものであり、取り外し組み立てが容易としたものである。
【００１９】
本発明の第５の実施の形態は請求項１から請求項４の実施の形態における太陽電池モジュール脱着装置において、取手の支持部は、太陽電池モジュールの受光角度を太陽高度に応じて変更可能開脚角度を調整できる受光角度調整手段を設けた構成としたものであり、現場の設置状況に応じて太陽光の受光部を簡易に調整できるようにしたものである。
【００２０】
本発明の第６の実施の形態は請求項１から請求項５の実施の形態における太陽電池モジュール脱着装置において、屋根のフレーム枠と太陽モジュールを、ロックオープン操作する鍵を具備した構成とし、防犯対策を施したものである。
【００２１】
本発明の第７の実施の形態は請求項１から請求項５の実施の形態における太陽電池モジュール脱着装置において、屋根のフレーム枠に鍵を差込み、ハンドルの回転により連動し回転する太陽電池モジュール固定金具を設けた構成としたものである。
【実施例】
【００２２】
（実施例１）
図１は本発明の実施例１の太陽電池モジュール脱着装置付き駐輪場１１の鳥瞰図である。また図２は本発明の実施例１の太陽電池モジュール脱着装置の構成図である。図1、２に示すように通常時、太陽電池モジュール１２は駐輪場の躯体であるフレーム１３のL字状に成型された上面に設置されており、駐輪場１１の屋根材として構成されている。（尚、前記太陽電池モジュール１２は剛性を保つため表面保護層または裏面材にガラス或いはポリカーボネート等の樹脂材を使用する）。
【００２３】
また前記駐輪場１１の天面に照明具１４及び照度センサー１５、床上壁際に蓄電池１６を配し前記太陽電池モジュール１２とこれらを容易に取り外し可能なジョイントコネクタ１７を介して電線１８で結ばれた構成となっている。
【００２４】
また、前記太陽電池モジュール１２の下面２１にネジ止め或いは両面テープを用いて取手２２が構成されている。
【００２５】
上記構成において、前記太陽電池モジュール１２をフレーム１３にセットする場合、前記太陽電池モジュール１２を前記フレーム１３で囲われた長方形の開口部の対角線の寸法が、太陽電池モジュールの一辺より長いことを利用して下から上へ傾けて持ち上げ、前記フレーム１３のL字状に成型された上面に設置する。そして通常時は前記太陽電池モジュール１２で蓄電した蓄電池１６の電源を用いて、照度センサー１５で検知した夜間に照明具１４を点灯して使用している。
【００２６】
緊急時には、各太陽電池モジュール１２の直近のジョイントコネクタ１７を分離し、下方より太陽電池モジュール１２の下面２１に取り付けられた前記取手２２に両手をかけて前記太陽電池モジュール１２を一度持ち上げ、
取り付けた時と逆の手順で取り外す。また蓄電池１６についても同様に直近のジョイントコネクタ１７を分離する。
【００２７】
その後、太陽電池モジュール１２と共に避難場所等に運び、現地にてそれぞれの太陽電池モジュール１２と蓄電池１６の切り離されたジョイントコネクタ１７を直接繋ぎこみ、太陽光に正対する形でセッティングすることで非常用電源として利用可能となる。
【００２８】
（実施例２）
次に図３は本発明の実施例２の太陽電池モジュール脱着装置の構成図である。図３に示すように取手が太陽電池モジュールＡ３２を支持できる形状の支持脚Ａ３１とし、太陽電池モジュールＡ３２を地面３３より約３０度の傾斜角θを持たせた状態で立脚可能とした形状で構成されている。
【００２９】
上記構成において、通常時は、前記太陽電池モジュールＡ３２で蓄電した蓄電池１６の電源を用いて、照度センサー１５で検知した夜間に照明具１４を点灯するようにして使用している。緊急時には、各太陽電池モジュールＡ３２の直近のジョイントコネクタ１７を分離し、下方より太陽電池モジュールＡ３２の下面２１に取り付けられた前記支持脚Ａ３１に両手をかけて前記太陽電池モジュールＡ３２を取り外す。また蓄電池１６についても同様に直近のジョイントコネクタ１７を分離する。その後、太陽電池モジュールＡ３２と共に避難場所等に運び、現地にてそれぞれの太陽電池モジュールＡ３２と蓄電池１６の切り離されたジョイントコネクタ１７を直接繋ぎこみをおこない、太陽光の方角に向けて平坦な地面３３に太陽電池モジュールＡ３２の端面と支持脚Ａ３１が地面３３に接地する形で仮設した場合、そのまま受光の適切傾斜角度θで設置可能となる。
【００３０】
（実施例３）
次に図４は本発明の実施例３の太陽電池モジュール脱着装置の構成図である。図４に示すように太陽電池モジュールＢ４１の一辺近傍裏面に回転自在に支持する支持部４２、また前記支持部４２に連結された支持脚Ｂ４３、前記支持脚Ｂ４３と前記太陽電池モジュールＢ４１を結ぶ開度保持具４４、また前記支持脚Ｂ４３を収納時固定可能とした引掛具４５を配し、また前記支持脚Ｂ４３は支持部４２に近い側に支持脚上部筒４６と自由端部４７側に支持脚下部筒４８とそれらを固定する為の締付具４９により構成されている。また前記締付具４９は内部にテーパ具５０とその上部にテーパ止具５１を有している。
【００３１】
上記構成において、前記太陽電池モジュールＢ４１で蓄電した蓄電池１６の電源を用いて、照度センサー１５で検知した夜間に照明具１４を点灯するようにして使用している。緊急時には、各太陽電池モジュールＢ４１の直近のジョイントコネクタ１７を分離し、下方より前記太陽電池モジュールＢ４１の裏面５２に常時収納している前記支持部４２に両手をかけて前記太陽電池モジュールＢ４１を取り外す。また蓄電池１６についても同様に直近のジョイントコネクタ１７を分離する。その後、太陽電池モジュールＢ４１と共に避難場所等に運び、現地にてそれぞれの太陽電池モジュールＢ４１と蓄電池１６の切り離されたジョイントコネクタ１７を直接繋ぎこみをおこなう。その後、太陽電池モジュールＢ４１より支持部４２を中心に支持脚Ｂ４３を開度保持具４４で規定された角度まで開脚しする。太陽電池モジュールＢ４１面を太陽光の方角に向け、且つカメラ三脚の高さ調整用機構と同様に締付具４９を回転させてテーパ具５０を緩め、支持脚Ｂ４３の高さを調整し太陽電池モジュールＢ４１の傾斜角度αを太陽光の最適角度に合わせる。その後、締付具４９を回転させテーパ具５０を締め付けることにより、支持脚Ｂ４３の高さを保持することが可能となる。
【００３２】
（実施例４）
次に図５は本発明の実施例４の太陽電池モジュール脱着装置の設置構成図である。図５に示すようにバス停、駐輪場および住宅駐車場等の屋根においてコ字形フレーム６１と向かい合う鍵６２の差込み、回転により開閉可能なスプリングラッチ６３付きの鍵枠６４と保持具６５で支持具６６を収納した太陽電池モジュールＣ６７で構成されている。
【００３３】
上記構成において、太陽電池モジュールＣ６７を鍵枠６４にセット時は太陽電池モジュールＣ６７の一辺側をコ字型フレーム６１に差込み、差込んだ端部を基点に他方の端部を持ち上げ、スプリングラッチ６３を押し込みながらスプリングラッチ６３の上部まで持ち上げ、スプリングラッチ６３が戻ってきたところで太陽電池モジュールＣ６７をスプリングラッチ６３の上面に設置する。また取外時は鍵６２を差込み、回転させることで突起部のあるスプリングラッチ６３をはずして太陽電池モジュールＣ６７を取り外すことが可能となる。
【００３４】
（実施例５）
次に図６は本発明の実施例３の太陽電池モジュール脱着装置の設置構成図である。図６に示すようにバス停、駐輪場および住宅駐車場等の屋根においてハンドル鍵７１を差込み、ハンドル７２の回転により連動し回転する固定金具７３付きハンドル鍵枠７４、保持具６５で支持具６６を収納した前記太陽電池モジュールＣ６７、前記太陽電池モジュールＣ６７と前記ハンドル鍵枠７４の間に樹脂等の防水材７５が構成されている。
【００３５】
上記構成において、前記太陽電池モジュールＣ６７をハンドル鍵枠７４にセット時は前記太陽電池モジュールＣ６７を前記ハンドル鍵枠７４で囲われた長方形の開口部の対角線上に傾けて持ち上げ前記ハンドル鍵枠７４の上部に設置し、前記ハンドル鍵７１を差込みながら前記ハンドル７２を回転させ同時に回転する前記固定金具７３により前記ハンドル鍵枠７４上面の前記防水材７５に前記太陽電池モジュールＣ６７を押し付ける。また取外時は反対に前記ハンドル鍵７１を差込み前記ハンドル７２を回転させ前記固定金具７３を解除し前記太陽電池モジュールＣ６７を一度持ち上げ、前記ハンドル鍵枠７４の開口部から開口部対角方向に傾けて下方に取り出すものとする。これにより、不特定多数の者が太陽電池モジュールを許可なく取り外すことができないような防犯対策を施し、フレームと太陽電池モジュールの間に防水材を設け、固定金具にて防水材に押し付けることにより雨漏り対策も施したものである。
【産業上の利用可能性】
【００３６】
本発明は、災害時の緊急対策用の電源確保を目的としたが、サークル活動および自己都合により電源を引くことが手間な場合にも適用できるものである。
【図面の簡単な説明】
【００３７】
【図１】本発明の実施例１の太陽電池モジュール脱着装置付き駐輪場の鳥瞰図
【図２】本発明の実施例１の太陽電池モジュール脱着装置の構成図
【図３】本発明の実施例２の太陽電池モジュール脱着装置の構成図
【図４】本発明の実施例３の太陽電池モジュール脱着装置の構成図
【図５】本発明の実施例４の太陽電池モジュール脱着装置の設置構成図
【図６】本発明の実施例５の太陽電池モジュール脱着装置の設置構成図
【符号の説明】
【００３８】
１１    太陽電池モジュール脱着装置付き駐輪場
１２    太陽電池モジュール
１３    フレーム
１４    照明具
１５    照度センサー
１６    蓄電池
１７    ジョイントコネクタ
１８    電線
２１    下面
２２    取手
３１    支持脚Ａ
３２    太陽電池モジュールＡ
３３    地面
θ      適切傾斜角度
４１    太陽電池モジュールＢ
４２    支持部
４３    支持脚Ｂ
４４    開度保持具
４５    引掛具
４６    支持脚上部筒
４７    自由端部
４８    支持脚下部筒
４９    締付具
５０    テーパ具
５１    テーパ止具
５２    太陽電池モジュールＢの裏面
α      最適傾斜角度
６１    コ字形フレーム
６２    鍵
６３    スプリングラッチ
６４    鍵枠
６５    保持具
６６    支持具
６７    太陽電池モジュールＣ
７１    ハンドル鍵
７２    ハンドル
７３    固定金具
７４    ハンドル鍵枠
７５    防水材
【図１】
2005232840.tif 000003
【図２】
2005232840.tif 000004
【図３】
2005232840.tif 000005
【図４】
2005232840.tif 000006
【図５】
2005232840.tif 000007
【図６】
2005232840.tif 000008